(57)【要約】【課題】印刷対象を手作業で設定する際、高品質での印刷に適さない解像度の低い画像が意図せず残存する可能性がある。【解決手段】印刷受付装置として、（ａ）印刷対象として受け付ける画像データの解像度情報を取得する解像度情報取得部と、（ｂ）取得された解像度情報を基準値と比較する解像度情報比較部と、（ｃ）解像度情報が基準値未満の場合は、該当する画像データを印刷対象から除外し、解像度情報が基準値以上の場合は、該当する画像データを印刷対象に設定する印刷対象選別部とを有するものを提案する。【選択図】図２
2005342967.tif 000002
【特許請求の範囲】
【請求項１】
印刷対象として受け付ける画像データの解像度情報を取得する解像度情報取得部と、
取得された解像度情報を基準値と比較する解像度情報比較部と、
解像度情報が基準値未満の場合は、該当する画像データを印刷対象から除外し、解像度情報が基準値以上の場合は、該当する画像データを印刷対象に設定する印刷対象選別部と
を有することを特徴とする印刷受付装置。
【請求項２】
請求項１に記載の印刷受付装置は、
前記印刷対象選別部で除外された画像データに関する情報をユーザーに提示する表示制御部と、
除外された画像データのうちユーザーから印刷の指示が与えられたものを印刷対象に追加する印刷対象追加部と
を有することを特徴とする印刷受付装置。
【請求項３】
請求項１に記載の印刷受付装置は、
前記印刷対象選別部で除外された画像データを、サムネイル形式でユーザーに提示する表示制御部
を有することを特徴とする印刷受付装置。
【請求項４】
請求項１に記載の印刷受付装置は、
前記印刷対象選別部で除外された画像データを、サムネイル形式の印刷によりユーザーに提示するサムネイル印刷指示部
を有することを特徴とする印刷受付装置。
【請求項５】
印刷対象として受け付ける画像データの解像度情報を取得する解像度情報取得部と、
取得された解像度情報を基準値と比較する解像度情報比較部と、
解像度情報が基準値未満の場合は、該当する画像データを印刷対象から除外し、解像度情報が基準値以上の場合は、該当する画像データを印刷対象に設定する印刷対象選別部と、
印刷対象に設定された画像データに対応する画像を印刷媒体に印刷する印刷部と
を有することを特徴とする印刷装置。
【請求項６】
印刷対象として受け付ける画像データを記録媒体から読み取る画像データ読取部と、
印刷対象として受け付けた画像データの解像度情報を取得する解像度情報取得部と、
取得された解像度情報を基準値と比較する解像度情報比較部と、
解像度情報が基準値未満の場合は、該当する画像データを印刷対象から除外し、解像度情報が基準値以上の場合は、該当する画像データを印刷対象に設定する印刷対象選別部と、
印刷対象に設定された画像データに対応する画像を印刷媒体に印刷する印刷部と
を有することを特徴とする写真自動販売装置。
【請求項７】
撮像部と、
撮像された被写体の画像データを記憶媒体に保存する画像データ保存部と、
印刷対象として受け付ける画像データの解像度情報を取得する解像度情報取得部と、
取得された解像度情報を基準値と比較する解像度情報比較部と、
解像度情報が基準値未満の場合は、該当する画像データを印刷対象から除外し、解像度情報が基準値以上の場合は、該当する画像データを印刷対象に設定する印刷対象選別部と
を有することを特徴とする撮像装置。
【請求項８】
印刷対象として受け付ける画像データを記録媒体から読み取る画像データ読取部と、
印刷対象として受け付けた画像データの解像度情報を取得する解像度情報取得部と、
取得された解像度情報を基準値と比較する解像度情報比較部と、
解像度情報が基準値未満の場合は、該当する画像データを印刷対象から除外し、解像度情報が基準値以上の場合は、該当する画像データを印刷対象に設定する印刷対象選別部と
を有することを特徴とする画像処理装置。
【請求項９】
印刷対象として受け付ける画像データの解像度情報を取得する処理と、
取得された解像度情報を基準値と比較する処理と、
解像度情報が基準値未満の場合は、該当する画像データを印刷対象から除外し、解像度情報が基準値以上の場合は、該当する画像データを印刷対象に設定する処理と
を有することを特徴とする印刷受付方法。
【請求項１０】
コンピュータに、
印刷対象として受け付ける画像データの解像度情報を取得する処理と、
取得された解像度情報を基準値と比較する処理と、
解像度情報が基準値未満の場合は、該当する画像データを印刷対象から除外し、解像度情報が基準値以上の場合は、該当する画像データを印刷対象に設定する処理と
を実行させることを特徴とするプログラム。
【請求項１１】
請求項１０に記載のプログラムを記録した
ことを特徴とするコンピュータ読み取り可能な記録媒体。
【発明の詳細な説明】
【技術分野】
【０００１】
１つの発明は、印刷対象の受付に使用する印刷受付装置に関する。
印刷受付装置は、処理ボード、制御ボードその他の専用装置として実現される他、印刷受付装置として機能するコンピュータ、サーバーその他の画像処理装置としても実現される。印刷受付装置として機能する画像処理装置には、例えば印刷装置、写真自動販売装置、撮像装置がある。
また１つの発明は、これら回路及び装置において実行される印刷受付方法に関する。
また１つの発明は、印刷受付方法を実現するプログラムに関する。
また１つの発明は、印刷受付方法を実現するプログラムの配布に使用される記録媒体に関する。
【背景技術】
【０００２】
画像データの印刷装置には、その用途や目的に応じて様々商品形態がある。ここでは、業務用の印刷装置の１つであるセルフサービス型の写真自動販売機（以下、「キオスク端末」という。）について説明する。
キオスク端末は、ユーザーが手軽にデジタル画像を印刷できる装置として店頭その他に配置されている。
キオスク端末では、おおよそ次の手順で印刷処理が進行する。まず、ユーザーが、持参した記録媒体を読出装置に装着する。キオスク端末は、記録媒体から画像データを読み出し、サムネイル形式でユーザーに提示する。ユーザーは、提示されたサムネイル画像の中から印刷対象を選択し、出力枚数を指定する。この後、ユーザーから料金が入金されると、キオスク端末が指定された印刷対象を指定の枚数で印刷する。
【０００３】
ところで、昨今のキオスク端末には、ＤＰＯＦ（Digital Print Order Format）に対応するものがある。ＤＰＯＦは、印刷の注文時に必要とされる印刷対象の指定情報を、デジタルカメラ側で記録媒体に保存可能とする規格である。
この規格に対応したキオスク端末では、記憶媒体の装着と同時に指定情報が読み出され、印刷対象に指定された画像の印刷が自動的に開始される。すなわち、この規格に対応したキオスク端末では、ユーザーによる店頭での印刷対象の指定動作を不要にできる。
結果として、印刷注文時の操作時間が短縮され、より多くのユーザーがキオスク端末を利用可能となる。また、キオスク端末の１台当たりの稼働率も向上する。また、ユーザーも、印刷対象の選択と枚数の入力に十分な時間を割くことができ、選択ミスや入力ミスを減らすことができる。
【特許文献１】特開２０００−１２２１８５号公報
【特許文献２】特開２００１−２８３３２１号公報
【発明の開示】
【発明が解決しようとする課題】
【０００４】
ところが、これらの効果は、ユーザーの事前設定に依存する。このため、大半のユーザーが事前に印刷対象を指定しなければ、期待通りの効果を得ることはできない。
また、ユーザーが事前に印刷対象を指定する場合でも、デジタルカメラに固有の問題がある。すなわち、デジタルカメラに付属するモニタのサイズが実際の印刷サイズに比べて小さいことに起因する問題がある。
モニタ画面が小さいため、ユーザーは、表示された画像の解像度を判断するのが難しい。結果的に、高品質での印刷が難しい低解像度の画像が誤って選択される可能性がある。なお、この誤選択は、印刷処理をキオスク端末で実行する場合だけでなく、他の印刷装置で印刷処理を実行する場合に共通する課題である。
【課題を解決するための手段】
【０００５】
本発明者は、以上の技術的課題に着目し、以下の技術を提案する。
すなわち、印刷の受付時に、（ａ）印刷対象として受け付ける画像データの解像度情報を取得する処理と、（ｂ）取得された解像度情報を基準値と比較する処理と、（ｃ）解像度情報が基準値未満の場合は、該当する画像データを印刷対象から除外し、解像度情報が基準値以上の場合は、該当する画像データを印刷対象に設定する処理とを実行することを提案する。
【発明の効果】
【０００６】
発明に係る手法の適用により、少なくとも高品質での印刷が困難な低解像度画像を、印刷対象から自動的に除外することができる。これにより、印刷対象の選択に要する時間を格段に短縮できる。また、印刷対象として低解像度画像が誤選択される可能性を低減できる。
【発明を実施するための最良の形態】
【０００７】
以下、発明に係る印刷受付装置の実施形態例を説明する。
なお、本明細書で特に図示又は記載されない部分には、当該技術分野の周知又は公知技術を適用する。
また以下に説明する実施形態は、発明の一つの実施形態であって、これらに限定されるものではない。
【０００８】
（１）実施形態例
（ａ）キオスク端末の構成
（ａ−１）外観構成
図１に、キオスク端末１の外観構成を示す。このキオスク端末１は、テーマパーク、観光地、商店その他の商業施設に設置されている。
筐体３の天面には、広告用表示装置５が配置されている。広告用表示装置５には、例えばＬＥＤ（Light Emitting Diode）掲示板を使用する。
筐体３の正面上部には、表示入力装置７が配置されている。表示入力装置７には、例えばタッチパネル式の表示装置を使用する。ユーザーがタッチパネル上の任意の領域に触れると、必要な選択や指示が入力される。表示入力装置７には、操作手順が表示される。
筐体３の正面中央部には、メモリカードの挿入口（スロット）９が配置されている。メモリカードは、記憶媒体に半導体メモリを使用するカード型の記憶装置をいう。メモリカードには様々規格がある。このため、この実施例の場合、各規格に対応した複数種類の挿入口９を用意する。
筐体３の正面下部には、入金装置１１が配置されている。入金装置１１は、コイン投入口１１ａと、コイン返却口１１ｂとを備える。
また、筐体３の正面下部には、写真取出口１３が配置されている。写真取出口１３には、印刷された写真が排出される。ユーザーは、写真取出口１３に手を差し込むことにより、印刷された写真を取り出すことができる。
【０００９】
（ａ−２）内部構成
図２に、キオスク端末の内部構成例を示す。このキオスク端末１は、制御部２１、データ読取装置２３、広告用表示装置２５、表示入力装置２７、音声装置２９、入金装置３１、印刷部３３を有する。
制御部２１は、画像データの受付から印刷の実行までの動作を制御する。この制御には、ユーザーに対する各種確認画面の表示も含まれる。
制御部２１は、ＣＰＵ（Central Processing Unit ）２１Ａ、記憶装置２１Ｂ、解像度情報取得部２１Ｃ、解像度情報比較部２１Ｄ、印刷対象選別部２１Ｅ、表示制御部２１Ｆ、印刷対象追加部２１Ｇ、サムネイル印刷指示部２１Ｈを主要な構成要素とする。
記憶装置２１Ｂは、ＲＯＭ（Read Only Memory）、ＲＡＭ（Random Access Memory）、ハードディスク装置で構成される記憶デバイスである。ＲＯＭは、ファームウェアの格納用であり、ＲＡＭは一時記憶用および作業用である。また、ハードディスク装置は、画像データの記憶用である。
【００１０】
解像度情報取得部２１Ｃは、印刷対象として受け付ける画像データの解像度情報を取得するデバイスである。画像データには、例えば、ＪＰＥＧ形式、ＴＩＦＦ形式、ビットマップ形式、ＰＮＧ形式その他の画像ファイル形式が用いられる。
解像度情報取得部２１Ｃは、画像データの付属情報から必要とする解像度情報を取得する。
この実施例では、解像度情報として、短辺のピクセル数を使用する。これは、図３に示すように、縁なし印刷を行う場合に短辺のピクセル数が印刷時の解像度に対応するためである。
図３では、印刷サイズ４１を実線で示し、画像サイズ４３を破線で示す。例えば、画像データがパノラマ形式であるのに対し、印刷用紙が普通サイズの場合の関係に対応する。
解像度情報比較部２１Ｄは、取得された解像度情報を基準値と比較するデバイスである。解像度情報が基準値以上の画像データは、高品質印刷に適した解像度を有することを意味する。一方、解像度情報が基準値未満の画像データは、高品質印刷に適さない解像度を有することを意味する。
印刷対象選別部２１Ｅは、解像度情報が基準値未満の場合は、該当する画像データを印刷対象から除外し、解像度情報が基準値以上の場合は、該当する画像データを印刷対象に設定するデバイスである。
印刷対象選別部２１Ｅを設けることにより、高画質の画像データは自動的に印刷対象に設定され、低画質の画像データは自動的に印刷対象から除外される。
すなわち、ユーザーによるメモリカード内の全画像の確認作業が省略される。また、判断の誤りによる低解像度画像の印刷が回避される。
【００１１】
表示制御部２１Ｆは、印刷対象の選別機能に関連して、表示入力装置２７に表示する内容を制御するデバイスである。表示制御部２１Ｆは、印刷対象選別部２１Ｅで除外された画像データに関する情報をユーザーに提示する処理を実行する。因みに、情報の提示方法には、例えばテキストベースで表示する方法やサムネイル形式で表示する方法がある。
印刷対象追加部２１Ｇは、自動的に印刷対象から除外された画像データであっても、ユーザーが印刷を再度指示したものについては印刷対象に追加するデバイスである。印刷対象追加部２１Ｇを設けることで、ユーザーの意図を印刷結果に反映させることができる。
サムネイル印刷指示部２１Ｈは、印刷対象選別部２１Ｅで除外された画像データを、サムネイル形式の印刷によりユーザーに提示するデバイスである。サムネイル印刷指示部２１Ｈを設けることにより、ユーザーは、フルサイズでの印刷対象から除外された画像を印刷物として確認することができる。実施例の場合、除外された画像データを１枚の印刷用紙上に配列して表示するインデックス表示形式を適用する。
【００１２】
データ読取装置２３は、挿入口９に装着されたメモリカードから画像データ（付属情報を含む）を読み取るデバイスである。データ読取装置２３から読み取られた画像データは、解像度情報取得部２１Ｃを経て記憶装置２１Ｂに保存される。
広告用表示装置２５は、例えば予め定めたパターンに従ってＬＥＤの点灯と消灯を制御する。
表示入力装置２７は、ユーザーに対する指示や操作を促す各種確認画面を表示する表示デバイスと、タッチパネルに対する操作を制御部２１に通知する入力デバイスとで構成される。
音声装置２９は、ユーザーに対する指示や操作を音声として出力するオーディオシステムである。音声装置２９には、オーディオ回路やスピーカーが配置される。
入金装置３１は、印刷に伴い必要となる入金を受け付ける装置である。入金処理や返金処理に必要な既存の回路及び機構が用いられる。
印刷部３３は、画像データを印刷用紙に印刷する複数台の印刷デバイスで構成される。この実施例の場合、昇華型の印刷デバイスを使用する。また、複数台の印刷デバイスは、印刷サイズ別に配置されている。例えば、3.5inch×５inchサイズ（いわゆる、Ｌサイズ）、４inch×６inchサイズ（いわゆる、ＫＧサイズ）、５inch×７inchサイズ（いわゆる、２Ｌサイズ）、８inch×１０inchサイズ（いわゆる、２ＫＧサイズ）に対応して４台の印刷デバイスが配置される。
各印刷デバイスに対する画像データの割り当ては、ユーザーが指定した印刷サイズに従い制御部２１が実行する。
【００１３】
（ｂ）処理手順
図４に、キオスク端末１で実行される一連の処理手順を示す。すなわち、挿入口９にメモリカードが装着された後、写真取出口１３から実際に写真が出力されるまでの一連の処理手順を示す。
まず、ユーザーが、持参したメモリカードを挿入口９に挿入する（プロセスＰ１）。データ読取装置２３は、メモリカードの挿入を制御部２１に通知する。
また、データ読取装置２３は、メモリカードに保存されている画像データを読み出し、制御部２１に転送する（プロセスＰ２）。読み出された画像データは、記憶部２１Ｂに書き込まれる。
解像度情報取得部２１Ｃは、画像データの付属情報から解像度情報を取得する。取得された解像度情報は、解像度情報比較部２１Ｄに与えられる。解像度情報比較部２１Ｄは、取得された画像データの解像度と基準値とを比較する（プロセスＰ３）。具体的には、画像データの短辺に対応するピクセル数（短辺の長さ）と基準値とを比較する。比較結果は、印刷対象選別部２１Ｅに与えられる。
【００１４】
短辺に対応するピクセル数が基準値より小さい場合、印刷対象選別部２１Ｅは、肯定結果を得てプロセスＰ４に進む。この場合、印刷対象選別部２１Ｅは、読み出された画像データは低解像度であると判定し、印刷除外リストに追加する。印刷除外リストは、印刷対象から除外された低解像度画像を分類するリストである。
一方、短辺に対応するピクセル数が基準値以上である場合、印刷対象選別部２１Ｅは、否定結果を得てプロセスＰ５に進む。この場合、印刷対象選別部２１Ｅは、読み出された画像データは高解像度であると判定し、印刷対象リストに追加する。印刷対象リストは、印刷対象となる高解像度画像を分類するリストである。
いずれかのリストに画像データが分類されると、ＣＰＵ２１Ａは、全ての画像データがメモリカードから読み取られたか否かを判定する（プロセスＰ６）。すなわち、ＣＰＵ２１Ａは、読み取られていない画像データが存在するか否かを判定する。
この判定処理により肯定結果が得られた場合、前述したプロセスＰ２〜５までの処理が繰り返し実行される。
なお、判定処理により否定結果が得られた場合、ＣＰＵ２１ＡはプロセスＰ７に進む。プロセスＰ７において、ＣＰＵ２１Ａは、印刷除外リストに登録されている画像データがあるか否かを判断する。
肯定結果が得られた場合、ＣＰＵ２１Ａは、図５に示す除外対象確認画面５１を表示入力装置２７に表示する（プロセスＰ８）。この除外対象確認画面５１は、低解像度と判断された画像の印刷をユーザーに提示するための画面である。
【００１５】
図５の場合、除外対象確認画面５１は、データ名表示欄５３、コメント欄５５、指示入力ボタン５７及び５９を表示項目とする。
この例の場合、データ名表示欄５３には、４つのデータ名がテキスト形式で一覧表示されている。
また、コメント欄５５には、確認画面の説明が表示される。この例の場合、“判定結果”、“印刷品質に対する示唆”、“ユーザーに求める選択”が表示される。具体的には、“低解像度と判断された画像が４つであること”、“低解像度と判断された画像は高品質で印刷できない可能性があること”、“印刷を希望するか”が表示される。
指示入力ボタン５７は印刷希望入力用であり、指示入力ボタン５９は印刷除外入力用である。
ＣＰＵ２１Ａは、指示入力ボタン５７と５９のいずれかに対する操作を検出すると、印刷の実行が指示されたか否かを判断する（プロセスＰ９）。すなわち、指示入力ボタン５７が操作されたか否かを判断する。
肯定結果が得られた場合、ＣＰＵ２１Ａは、印刷の実行が指示された画像データを印刷対象リストに追加する（プロセスＰ１０）。なお、印刷対象リストへの移動は、除外対象となった全ての画像データを一括して行っても良いし、個別に指定された画像データだけを選択的に行っても良い。
一方、否定結果が得られた場合、ＣＰＵ２１Ａは、画像データのリスト間の移動は行わない。
【００１６】
ユーザーによる除外対象の確認が終了すると、ＣＰＵ２１Ａは、図６に示す注文確認画面６１を表示入力装置２７に表示する（プロセスＰ１１）。この注文確認画面６１は、印刷対象リストの登録内容を確認するための画面である。
図６の場合、注文確認画面６１は、注文内容欄６３、枚数指示ボタン６５ａ、６５ｂ、詳細設定ボタン６７、コメント欄６９を表示項目とする。
この例の場合、注文内容欄６３には、印刷サイズと、印刷対象とする画像の数と、印刷枚数に関する情報とが表示される。この例の場合、印刷サイズが“3.5inch×５inchサイズ”であり、“１５個の画像を各１枚印刷する”ことが表示される。
また、印刷に要する料金も表示される。表示内容は、枚数指示ボタン６５ａ、６５ｂと詳細設定ボタン６７の操作内容に応じて更新される。
因みに、枚数指示ボタン６５ａは、印刷対象に指定された画像データの“各１枚印刷”を指示するボタンに対応する。枚数指示ボタン６５ｂは、印刷対象に指定された画像データの“各２枚印刷”を指示するボタンに対応する。また、詳細設定ボタン６７は、画像別に印刷枚数の調整を指示するボタンに対応する。
また、コメント欄６９には、確認画面の説明が表示される。この例の場合、“ユーザーに求める行動と操作”が表示される。具体的には、“料金の確認”と“入金”とが表示される。
【００１７】
なお、詳細設定ボタン６７が操作された場合、ＣＰＵ２１Ａは、図７に示す詳細設定画面７１を表示する。
図７の場合、詳細設定画面７１には、個別入力欄７３、低解像度表示マーク７５、ページ表示欄７７、確認ボタン７９を表示項目とする。
個別入力欄７３は、印刷対象に設定された画像の数だけ一覧表示される。この例の場合、個別入力欄７３には、サムネイル画像７３ａ、枚数表示欄７３ｂ、インクリメントキー７３ｃ、デクリメントキー７３ｄが表示される。
サムネイル画像７３ａは、画像の内容の確認用である。枚数表示欄７３ｂは、対応する画像について設定されている印刷枚数の確認用である。インクリメントキー７３ｃは、印刷枚数の増加を指示するキーである。一方、デクリメントキー７３ｄは、印刷枚数の減少を指示するキーである。
低解像度表示マーク７５は、低解像度と判断された個別入力欄７３上に重ねて表示される。また、ページ表示欄７７には、一覧表示画面の総数と、現在の位置を示す領域と、ページ送りボタンとが表示される。また、確認ボタン７９は、設定状態を確定するためのボタンである。この確認ボタン７９が操作されると、設定された印刷枚数が確定し、注文確認画面６１に戻る。
なお、注文確認画面６１において、ユーザーがコイン投入口１１ａに必要な料金を投入した場合、入金装置３１からＣＰＵ２１Ａに料金の投入が通知される（プロセスＰ１２）。
ＣＰＵ２１Ａは、料金の投入を確認すると、印刷部３３に対し印刷指示を出す。印刷部３３は、印刷対象リスト内の全ての画像を指定された枚数ずつ印刷する（プロセスＰ１３）。印刷された画像は、写真取出口１３に排出される。
以上が、１人のユーザーについて実行される印刷動作である。
【００１８】
（ｃ）効果
以上のように、実施例に係るキオスク端末１を用いれば、メモリカードに格納されている画像データのうち、解像度の低い画像を自動的に排除することができる。すなわち、低解像度を原因とする画質不良が生じる可能性のある画像を自動的に排除できる。
低解像度か否かの判定は、解像度情報と基準値との比較により自動的に実行される。従って、ユーザーの判断に比して非常に短時間で分類作業を完了できる。
また、この判断手法は、ユーザーの主観的な判断とは異なり、判定のバラツキがない。従って、品質格差を少なくできる。
また、この効果は、ユーザーによる事前の指定動作の有無に関係なく実現される。
【００１９】
以上のように、ユーザーは、確認画面上で表示内容を了解するだけで、少なくとも品質基準を満す写真を迅速に出力することができる。
この結果、ユーザーは、煩わしい入力操作から解放される。これに伴い、キオスク端末における１人当たりの印刷処理時間の短縮が実現される。すなわち、キオスク端末の稼動率を一段と向上できる。また、稼働率の向上に伴い、１台当たりの売上額の向上も期待できる。
また、メモリカードの装着から写真の出力までの操作が簡略化されるため（基本的な確認操作だけで良いため）、他機種に対する優位性をユーザーにアピールできる。すなわち、使い勝手の良さをもって、他機種との差別化を実現できる。
勿論、キオスク端末の操作に慣れたユーザーに対しては、詳細設定画面を用意することにより、希望する画像のみを指定する枚数だけ印刷することができる。このように、実施例に係るキオスク端末は、初心者だけでなく、何人にも使い勝手の良い操作性を提供できる。
【００２０】
（２）他の実施例
（ａ）前述の実施例においては、画像データの短辺に対応するピクセル数と基準値とを比較して解像度を判定したが、図８に示すように、画像データの長辺に対応するピクセル数と基準値とを比較して解像度を判定しても良い。
図８の場合も、印刷サイズ８１を実線で示し、画像サイズ８３を破線で示す。この場合（すなわち、画像データの短辺が印刷サイズの短辺より長い場合）、長辺のピクセル数が縁なし印刷を行う際の解像度に対応するためである。
なお、解像度の判定時には、画像サイズと印刷サイズの関係に基づいて、短辺のピクセル数について解像度を判定するか、長辺のピクセル数について解像度を判定するかを選択的に実行できることが望ましい。
【００２１】
（ｂ）前述の実施例においては、画像サイズの短辺に対応するピクセル数に基づいて解像度の高低を判定したが、画像全体のピクセル数、ファイルサイズその他に基づいて解像度の高低を判定しても良い。
なお、前述例を含め、複数種類の判定基準値のうちいずれを用いて判定するかは、画像サイズと印刷サイズの関係に応じて自動選択しても良いし、ユーザー、メーカー、ベンダー、サービス提供者が個別に設定できるようにしても良い。
（ｃ）前述の実施例においては、印刷部３３に複数の印刷デバイスを搭載する場合について説明したが、印刷部３３に搭載する印刷デバイスは１つでも良い。
（ｄ）前述の実施例においては、印刷サイズ別に印刷デバイスを各１台搭載する場合について説明したが、１つの印刷サイズに複数台の印刷デバイスを搭載しても良い。例えば、スナップショット・サイズに対応した４台の印刷デバイスを搭載しても良い。
【００２２】
（ｅ）前述の実施例においては、図５に示す除外対象確認画面５１に、印刷対象から除外されたデータ名をテキスト形式で一覧表示したが、印刷対象から除外された画像データをサムネイル形式で表示しても良い。
この場合、ユーザーは、画像の内容を視覚的に確認できる。従って、確認作業を効率的に進行できる。
勿論、サムネイル画像での表示は、画像データ単位でも良いし、一覧形式でも良い。
（ｆ）前述の実施例では、昇華型の印刷デバイスを用いたが、他の印刷方式を適用しても良い。例えば熱転写型の他の印刷デバイス、インクジェット型の印刷デバイス、レーザー型の印刷デバイスを適用しても良い。
（ｇ）前述の実施例では、業務用の印刷装置の一つであるキオスク端末（すなわち、写真自動販売機）に、印刷受付機能を搭載する場合について説明したが、他の業務用印刷装置や個人用印刷装置に搭載することもできる。
例えば、オフィスプリンタ、スキャナーと印刷装置を内蔵する複合機、家庭用プリンタに印刷受付機能を搭載することもできる。
これらの印刷装置は、写真印刷専用機である必要はない。例えば、ドキュメント印刷が可能なものでも良い。
この場合、印刷装置の商品形態に応じ、印刷受付機能の一部を選択的に用いれば良い。もっとも、解像度情報取得機能と、解像度情報比較機能と、印刷対象選択機能とは少なくとも搭載することが望ましい。
【００２３】
（ｈ）前述の実施例では、印刷装置の筐体内に印刷受付機能を搭載する場合について説明したが、画像データの送出元又は発生元となる画像処理装置に搭載しても良い。
図９に、概念図を示す。図９は、画像処理装置９１と印刷装置９３とが１本の通信路９５又は記録媒体９７を経由して接続された状態を表している。
通信路９５は、有線路だけでなく、無線路でも良い。また、記録媒体９７は、半導体メモリに限らず、磁気記録媒体や光学式記録媒体（少なくともデータの読み出しに光を使用する記録媒体）でも良い。
この場合において、画像処理装置９１には、例えばコンピュータ、ビデオカメラ、デジタルカメラ、ゲーム機器、スキャナー、携帯情報端末（携帯型のコンピュータ、携帯電話機、携帯型ゲーム機、電子書籍等）、時計、画像再生装置（例えば、光ディスク装置、ホームサーバー）、表示装置、発明に係る機能を搭載した処理ボードや処理カードが対応する。
【００２４】
なお、画像処理装置は、筐体と、信号処理部（解像度情報取得機能、解像度情報比較機能、印刷対象選別機能）と、外部インターフェースとを共通構成とし、商品形態に応じた周辺装置が組み合わされて構成される。
例えば、携帯電話機その他の通信機能を有する電子機器であれば、前述の構成に加え、送受信回路やアンテナを搭載する。
また例えば、ビデオカメラやデジタルカメラその他の撮像装置であれば、前述の構成に加え、カメラユニットや撮像された映像データを記憶媒体に保存するための書き込み回路を搭載する。
図１０に、撮像装置の構成例を示す。撮像装置１０１は、撮像部１０３と、撮像された被写体の画像データを記録媒体に保存する画像データ保存部１０５と、解像度情報取得部１０７と、解像度情報比較部１０９と、印刷対象選別部１１１とを搭載する。
撮像装置１０１に印刷受付機能を搭載することにより、確認用のモニタが小さい場合でも低解像度の画像データを印刷対象から自動的に排除できる。
また、撮像装置１０１に搭載されるボタン類は小さいことが多いが、印刷受付機能の搭載により、ボタン類の操作量が格段に低減される。このため、ユーザーの使い勝手が格段に向上される。
なお、撮像装置１０１は、撮像専用機である必要はなく、撮像機能を搭載している画像処理装置であれば商品形態は問わない。
【００２５】
（ｉ）前述の実施例では、印刷装置の筐体内に印刷受付機能を搭載する場合について説明したが、ネットワーク経由で接続された画像処理装置（サーバーを含む。）又は印刷装置に印刷受付機能を搭載しても良い。
図１１に、システム例を示す。このシステムは、ネットワーク１２１と、画像処理装置１２３と、印刷装置１２５と、サーバー１２７とを構成要素とする。
図１１は、画像処理装置１２３の画像データをネットワーク１２１経由で印刷装置１２５に出力する場合と、ネットワーク１２１に接続されたサーバー１２７経由で印刷装置１２５に出力する場合について表している。
この場合において、印刷受付機能は、画像処理装置１２３、印刷装置１２５、サーバー１２７のいずれにも搭載できる。
例えば、サーバー１２７に印刷受付機能を搭載する構成は、インターネット経由で写真の印刷を受け付ける写真印刷システムに好適である。
なお、ネットワーク１２１は、有線系のネットワークでも、無線系のネットワークでも良い。
（ｊ）前述の実施例では、印刷受付機能を制御部２１内の機能デバイスとして説明したが、これら機能デバイスはハードウェアとしても、ソフトウェアとしても実現できる。
なお、印刷受付機能を実現するプログラムは記録媒体に格納して配布することができる。
（ｋ）前述の実施例には、発明の趣旨の範囲内で様々な変形例が考えられる。また、本明細書の記載に基づいて創作される各種の変形例及び応用例も考えられる。
【図面の簡単な説明】
【００２６】
【図１】キオスク端末の外観構成例を示す図である。
【図２】キオスク端末の内部構成例を示す図である。
【図３】印刷サイズの長辺方向に対して画像サイズが大きい場合を示す図である。
【図４】キオスク端末を用いた印刷時の処理手順例を示す図である。
【図５】印刷対象から除外された画像の確認画面例を示す図である。
【図６】注文内容の確認画面例を示す図である。
【図７】詳細設定画面の表示例を示す図である。
【図８】印刷サイズの短辺方向に対して画像サイズが大きい場合を示す図である。
【図９】他のシステム例を示す図である。
【図１０】印刷受付機能を搭載する撮像装置の構成例を示す。
【図１１】ネットワークシステム例を示す図である。
【符号の説明】
【００２７】
１        キオスク端末
２１      制御部
２１Ｃ    解像度情報取得部
２１Ｄ    解像度情報比較部
２１Ｅ    印刷対象選別部
２１Ｆ    表示制御部
２１Ｇ    印刷対象追加部
２１Ｈ    サムネイル印刷指示部
５１      除外対象確認画面
６１      注文確認画面
７１      詳細設定画面
９１      画像処理装置
９３      印刷装置
１０１    撮像装置
【図１】
2005342967.tif 000003
【図２】
2005342967.tif 000004
【図３】
2005342967.tif 000005
【図４】
2005342967.tif 000006
【図５】
2005342967.tif 000007
【図６】
2005342967.tif 000008
【図７】
2005342967.tif 000009
【図８】
2005342967.tif 000010
【図９】
2005342967.tif 000011
【図１０】
2005342967.tif 000012
【図１１】
2005342967.tif 000013